(57)【要約】【課題】ＶＢＩ信号の開始点が一般規格と異なるＴＶ放送を受信した場合においても、確実にＶＢＩデータを取得することが可能なＶＢＩデータ取得装置およびＶＢＩデータ取得方法を提供することを目的とする。【解決手段】放送局よりＶＢＩデータを含むＴＶ信号を受信した場合において、ＶＢＩデータの取得開始タイミングを決定する。まず、取得開始タイミングの初期値を設定し、次に取得開始タイミングの下限値を設定する。そして初期値から下限値に向けて取得開始タイミングをシフトさせながら、各取得開始タイミングにおけるＶＢＩデータのエラーレートを検出する。そしてエラーレートが最も低くなった取得開始タイミングを、以降のＶＢＩデータの取得開始タイミングとして決定する。【選択図】図１
2007324953.tif 000002
【特許請求の範囲】
【請求項１】
テレビジョン信号を受信する受信手段と、
前記テレビジョン信号のＶＢＩに存在するＶＢＩデータを抽出する抽出手段と、
前記抽出手段において発生した前記ＶＢＩデータの取得失敗率を算出する失敗率算出手段と、
を備えたＶＢＩデータ取得装置であって、
前記抽出手段において、前記テレビジョン信号に含まれる水平同期信号の立下りから前記ＶＢＩデータの取得開始点までの時間差をパラメータを用いて表すパラメータ設定部と、
前記パラメータの初期値を、規格値である９．７μ秒に設定する初期値設定部と、
前記パラメータの下限値を、前記水平同期信号の立下りからカラーバースト信号の終端までの時間差である８．０μ秒に設定する下限値設定部と、
前記パラメータを前記初期値から前記下限値まで一定値ごとに減少させながら、前記抽出手段および前記失敗率算出手段を実行するとともに、各前記取得失敗率を前記パラメータに対応付けて記憶部に記憶する段階実行部と、
前記記憶部に記憶されている前記取得失敗率の中から最小の前記取得失敗率を判別するとともに、最小の前記取得失敗率に対応する前記パラメータを読み出し、読み出した前記パラメータをもとにＶＢＩデータの取得開始点を決定する開始点決定部と、
を備えることと、
前記開始点決定部において、前記パラメータが変化しても前記取得失敗率が一定であると判断された場合に、前記パラメータの初期値をもとに前記ＶＢＩデータの取得開始点を決定することと、
前記開始点決定部において、最小の前記取得失敗率に対応する前記パラメータから一定値を減算するとともに、前記減算により算出された値と前記下限値を比較し、大きい方の値をもとに前記ＶＢＩデータの取得開始点を決定することと、
を特徴とするＶＢＩデータ取得装置。
【請求項２】
テレビジョン信号を受信する受信手段と、
前記テレビジョン信号のＶＢＩに存在するＶＢＩデータを抽出する抽出手段と、
前記抽出手段において発生した前記ＶＢＩデータの取得失敗率を算出する失敗率算出手段と、
を備えたＶＢＩデータ取得装置であって、
前記抽出手段において、前記テレビジョン信号に含まれる水平同期信号の立下りから前記ＶＢＩデータの取得開始点までの時間差をパラメータを用いて表すパラメータ設定部と、
前記パラメータの初期値を設定する初期値設定部と、
前記パラメータの下限値を設定する下限値設定部と、
前記パラメータを前記初期値から前記下限値まで一定値ごとに減少させながら、前記抽出手段および前記失敗率算出手段を実行する段階実行部と、
前記段階実行部において前記取得失敗率が最も小さくなった前記パラメータをもとに前記ＶＢＩデータの取得開始点を決定する開始点決定部と、
を備えたことを特徴とするＶＢＩデータ取得装置。
【請求項３】
前記初期値設定部において、前記パラメータの初期値を、規格値である９．７μ秒に設定することと、
前記下限値設定部において、前記パラメータの下限値を、前記水平同期信号の立下りからカラーバースト信号の終端までの時間差である８．０μ秒に設定することと、
を特徴とする請求項２に記載のＶＢＩデータ取得装置。
【請求項４】
前記開始点決定部において、前記パラメータが変化しても前記取得失敗率が一定であると判断された場合に、前記パラメータの初期値をもとに前記ＶＢＩデータの取得開始点を決定すること
を特徴とする請求項２または請求項３に記載のＶＢＩデータ取得装置。
【請求項５】
前記開始点決定部において、最小の前記取得失敗率に対応する前記パラメータから一定値を減算するとともに、前記減算により算出された値をもとに前記ＶＢＩデータの取得開始点を決定すること
を特徴とする請求項２〜請求項４のいずれかに記載のＶＢＩデータ取得装置。
【請求項６】
テレビジョン信号を受信する受信工程と、
前記テレビジョン信号のＶＢＩに存在するＶＢＩデータを抽出する抽出工程と、
前記抽出工程において発生した前記ＶＢＩデータの取得失敗率を算出する失敗率算出工程と、
を有するＶＢＩデータ取得方法であって、
前記抽出工程において、前記テレビジョン信号に含まれる水平同期信号の立下りから前記ＶＢＩデータの取得開始点までの時間差をパラメータを用いて表すパラメータ設定部と、
前記パラメータの初期値を、規格値である９．７μ秒に設定する初期値設定部と、
前記パラメータの下限値を、前記水平同期信号の立下りからカラーバースト信号の終端までの時間差である８．０μ秒に設定する下限値設定部と、
前記パラメータを前記初期値から前記下限値まで一定値ごとに減少させながら、前記抽出工程および前記失敗率算出工程を実行するとともに、各前記取得失敗率を前記パラメータに対応付けて記憶部に記憶する段階実行部と、
前記記憶部に記憶されている前記取得失敗率の中から最小の前記取得失敗率を判別するとともに、最小の前記取得失敗率に対応する前記パラメータを読み出し、読み出した前記パラメータをもとにＶＢＩデータの取得開始点を決定する開始点決定部と、
を有することと、
前記開始点決定部において、前記パラメータが変化しても前記取得失敗率が一定であると判断された場合に、前記パラメータの初期値をもとに前記ＶＢＩデータの取得開始点を決定することと、
前記開始点決定部において、最小の前記取得失敗率に対応する前記パラメータから一定値を減算するとともに、前記減算により算出された値と前記下限値を比較し、大きい方の値をもとに前記ＶＢＩデータの取得開始点を決定することと、
を特徴とするＶＢＩデータ取得方法。
【請求項７】
テレビジョン信号を受信する受信工程と、
前記テレビジョン信号のＶＢＩに存在するＶＢＩデータを抽出する抽出工程と、
前記抽出工程において発生した前記ＶＢＩデータの取得失敗率を算出する失敗率算出工程と、
を有するＶＢＩデータ取得方法であって、
前記抽出工程において、前記テレビジョン信号に含まれる水平同期信号の立下りから前記ＶＢＩデータの取得開始点までの時間差をパラメータを用いて表すパラメータ設定部と、
前記パラメータの初期値を設定する初期値設定部と、
前記パラメータの下限値を設定する下限値設定部と、
前記パラメータを前記初期値から前記下限値まで一定値ごとに減少させながら、前記抽出工程および前記失敗率算出工程を実行する段階実行部と、
前記段階実行部において前記取得失敗率が最も小さくなった前記パラメータをもとに前記ＶＢＩデータの取得開始点を決定する開始点決定部と、
を有することを特徴とするＶＢＩデータ取得方法。
【請求項８】
前記初期値設定部において、前記パラメータの初期値を、規格値である９．７μ秒に設定することと、
前記下限値設定部において、前記パラメータの下限値を、前記水平同期信号の立下りからカラーバースト信号の終端までの時間差である８．０μ秒に設定することと、
を特徴とする請求項７に記載のＶＢＩデータ取得方法。
【請求項９】
前記開始点決定部において、前記パラメータが変化しても前記取得失敗率が一定であると判断された場合に、前記パラメータの初期値をもとに前記ＶＢＩデータの取得開始点を決定すること
を特徴とする請求項７または請求項８に記載のＶＢＩデータ取得方法。
【請求項１０】
前記開始点決定部において、最小の前記取得失敗率に対応する前記パラメータから一定値を減算するとともに、前記減算により算出された値をもとに前記ＶＢＩデータの取得開始点を決定すること
を特徴とする請求項７〜請求項９のいずれかに記載のＶＢＩデータ取得方法。
【発明の詳細な説明】
【技術分野】
【０００１】
本発明は、ＶＢＩ信号よりＶＢＩデータを取得するＶＢＩデータ取得装置およびＶＢＩデータ取得方法に関するものであり、特にＶＢＩ信号の開始位置の水平方向へのズレが発生してもＶＢＩデータを適正に取得し得るＶＢＩデータ取得装置およびＶＢＩデータ取得方法に関する。
【背景技術】
【０００２】
従来よりアナログテレビジョン放送では、ＴＶ信号（テレビジョン信号）の垂直帰線消去期間（Vertical Blanking Interval：ＶＢＩ）の信号（ＶＢＩ信号）に付加情報（ＶＢＩデータ）を重畳して伝送するサービスとして、文字多重放送、或いはデータ多重放送等が実施されている。まずＶＢＩデータ送信形態の一例について簡単に説明する。
【０００３】
まず、ＶＢＩに含まれる信号について説明する。従来より日本国内で広く用いられているＮＴＳＣ（National Television System Committee）方式のＴＶ信号においては、インタレース方式が採用されている。これによれば、５２５本の水平走査線から成る１枚のフレーム画像が、５２５本の水平走査線のうちの奇数番目の水平走査線から成るフィールド画像と、偶数番目の水平走査線から成るフィールド画像から構成されている。したがって、１枚のフィールド画像は２６２．５本の水平走査線を有していることとなる。
【０００４】
このフィールド画像の２６２．５本の水平走査線のうち、第１番目から第２１番目はＶＢＩと呼ばれ、映像信号が含まれていない領域である。ＶＢＩのうち第１番目から第９番目の水平走査線のデータ領域には、垂直同期信号が記録されている。残りの第１０番から第２１番目の水平走査線のデータ領域は、ＶＢＩデータを送信することが可能な領域となっている。
【０００５】
ＶＢＩを用いた放送サービスとしては、例えば第１０番目から第１３番目の水平走査線のデータ領域においてＡＤＡＭＳ方式、或いはｂｉｔｃａｓｔ方式によるデータ送信を行うサービスがある。このサービスにおいては、例えばＥＰＧ（Electronic Program Guide−電子番組表）データが前記データ領域を利用して送信される。また、第１４番から第１６番目および第２１番目の水平走査線のデータ領域は、文字放送用のデータを転送する領域として利用されている。
【０００６】
図４にＶＢＩデータを搬送するＴＶ信号の一例を示す。図４のようにＶＢＩデータがコーディングされている部分（以下、「ＶＢＩ信号９３」とする）は、ＴＶ信号の水平同期信号９１およびカラーバースト信号９２と、次に到来する水平同期信号９１’との間に位置する。垂直同期信号９１はＴＶ装置において電子銃が画面を描画する際に、水平方向のタイミングを計るための信号である。カラーバースト信号９２はＮＴＳＣ方式のＴＶ信号において、水平同期信号のすぐ後に挿入される信号である。カラーバースト信号９２は、カラー再生のための色相の基準となる同期信号である。
【０００７】
通常ＶＢＩ信号９３は、水平同期信号９１の立下り（図４の地点Ａ）から約９．７μ秒後（図４の地点Ｃ）より開始されるように規格で定められている。なお、カラーバースト信号９２の終端は、水平同期信号９１の立下りから約８．０μ秒後（図４の地点Ｂ）となるように規格で定められている。
【０００８】
上記のようなＶＢＩを用いたデータ転送技術に関連して特許文献１においては、文字多重ＴＶ信号を狭い帯域で効率よく伝送し、それをアナログ受信機で受信することを可能としたデータ伝送装置が開示されている。特許文献１のデータ伝送装置はＶＢＩデータを、それが重畳されている映像信号のライン番号情報と共に符号化して伝送する。そして受信側で復号したＶＢＩデータをライン番号通りに映像信号に組み込んで、標準フォーマットのＴＶ信号を生成することを特徴としている。これにより、伝送帯域の有効活用と、アナログ受信機でのＶＢＩデータの受信が可能となる。
【０００９】
また特許文献２においては、録画するＡＶデータに対応付けてＶＢＩに存在するＶＢＩデータを記録することにより、番組内の任意の箇所を検索することを可能とした情報記録再生装置が開示されている。特許文献２に記載の情報記録再生装置は、ＴＶ信号に含まれるＡＶデータを記録し、ＶＢＩに存在する付加情報を抽出するとともに、抽出した付加情報をＡＶデータに対応付けて記録する。記録した付加情報は検索機能により検索することが可能であり、検索結果に対応して、記録したＡＶデータを再生可能であることを特徴としている。これにより、番組内の任意の箇所を容易に検索することが可能となる。
【特許文献１】特開２００４−０６４４６１号公報
【特許文献２】特開２００２−１９９３３８号公報
【発明の開示】
【発明が解決しようとする課題】
【００１０】
しかしながら、ＶＢＩ信号の開始点は水平同期信号の立下りから約９．７μ秒後と規格では定められているが、実際には放送局毎にそのタイミングは異なっている。従って、ＶＢＩ信号の開始点が前記規格値（約９．７μ秒後）よりも早い、あるいは遅いタイミングであるＴＶ信号がＴＶ放送に用いられている場合があった。
【００１１】
上記従来の装置によると、ＶＢＩ信号の取得タイミングは装置毎に固定値（例えば前記規格値）が設定されている。そのため、受信したＴＶ信号に含まれるＶＢＩ信号の開始点が固定値よりも早いタイミング（例えば水平同期信号の立下りから９μ秒後）である場合、ＶＢＩデータの取得に失敗するという問題があった。
【００１２】
本発明は、ＶＢＩ信号の開始点が一般規格と異なるＴＶ放送を受信した場合においても、確実にＶＢＩデータを取得することが可能なＶＢＩデータ取得装置およびＶＢＩデータ取得方法を提供することにある。
【課題を解決するための手段】
【００１３】
上記目的を達成するために本発明のＶＢＩデータ取得装置は、テレビジョン信号を受信する受信手段と、前記テレビジョン信号のＶＢＩに存在するＶＢＩデータを抽出する抽出手段と、前記抽出手段において発生した前記ＶＢＩデータの取得失敗率を算出する失敗率算出手段とを備えたＶＢＩデータ取得装置であって、前記抽出手段において、前記テレビジョン信号に含まれる水平同期信号の立下りから前記ＶＢＩデータの取得開始点までの時間差をパラメータを用いて表すパラメータ設定部と、前記パラメータの初期値を設定する初期値設定部と、前記パラメータの下限値を設定する下限値設定部と、前記パラメータを前記初期値から前記下限値まで一定値ごとに減少させながら、前記抽出手段および前記失敗率算出手段を実行する段階実行部と、前記段階実行部において前記取得失敗率が最も小さくなった前記パラメータをもとに前記ＶＢＩデータの取得開始点を決定する開始点決定部とを備えたことを特徴としている。
【００１４】
これによると、放送局よりＶＢＩデータを含むＴＶ信号（テレビジョン信号）を受信した場合において、ＶＢＩデータの取得開始タイミングを決定する処理を行う。まず、取得開始タイミングの初期値を設定し、次に取得開始タイミングの下限値を設定する。そして初期値から下限値に向けて取得開始タイミングをシフト（一定値ごとに変化）させながら、各取得開始タイミングにおけるＶＢＩデータのエラーレート（取得失敗率）を検出する。そしてエラーレートが最も低くなった取得開始タイミングを、以降のＶＢＩデータの取得開始タイミングとして決定する。
【００１５】
また上記目的を達成するために本発明のＶＢＩデータ取得装置は、前記初期値設定部において、前記パラメータの初期値を、規格値である９．７μ秒に設定することと、前記下限値設定部において、前記パラメータの下限値を、前記水平同期信号の立下りからカラーバースト信号の終端までの時間差である８．０μ秒に設定することとを特徴としている。
【００１６】
これによると、取得開始タイミングの初期値として、ＶＢＩデータの規格で定められている開始タイミングである、水平同期信号の立下りから９．７μ秒後を用いる。また下限値として、カラーバースト信号の終端（水平同期信号の立下りから８．０μ秒後）を用いる。
【００１７】
また上記目的を達成するために本発明のＶＢＩデータ取得装置は、前記開始点決定部において、前記パラメータが変化しても前記取得失敗率が一定であると判断された場合に、前記パラメータの初期値をもとに前記ＶＢＩデータの取得開始点を決定することを特徴としている。
【００１８】
これによると、取得開始タイミングをシフトさせてもエラーレートに変化が無かった（エラーレートが一定であった）場合において、取得開始タイミングの初期値（９．７μ秒後）を、以降のＶＢＩデータの取得開始タイミングとして決定する。
【００１９】
前記開始点決定部において、最小の前記取得失敗率に対応する前記パラメータから一定値を減算するとともに、前記減算により算出された値をもとに前記ＶＢＩデータの取得開始点を決定することを特徴としている。
【００２０】
これによると、エラーレートが最小になった取得開始タイミングよりも少し早いタイミング（カラーバスト信号の終端寄りのタイミング）を、以降のＶＢＩデータの取得開始タイミングとして決定する。
【発明の効果】
【００２１】
本発明によれば、取得開始タイミングを初期値から下限値に向けてシフトさせながら、各取得開始タイミングにおけるＶＢＩデータのエラーレートを検出する。そしてエラーレートが最も低くなった取得開始タイミングを、以降のＶＢＩデータの取得開始タイミングとして決定する。これにより、最もＶＢＩデータのエラーレートの低いタイミングからデータ取得を行うことが可能である。このため、仮に規格とは異なるタイミングでＶＢＩデータが開始されていたとしても、確実にＶＢＩデータを取得することが可能である。
【００２２】
また本発明によれば、取得開始タイミングの初期値として、ＶＢＩデータの規格で定められている開始タイミングである水平同期信号の立下りから９．７μ秒後を用いる。また下限値として、カラーバースト信号の終端を用いる。これにより、ＶＢＩ信号の開始点として想定されうるタイミングを全てチェックすることが可能であり、より確実に取得開始タイミングの決定を行うことが可能である。
【００２３】
また本発明によれば、取得開始タイミングをシフトさせてもエラーレートに変化が無かった場合において、取得開始タイミングの初期値を、以降のＶＢＩデータの取得開始タイミングとして決定する。これにより、ＶＢＩデータの開始タイミングが規格値よりも遅い（例えば１０μ秒後）である場合においても、確実にＶＢＩデータの取得を行うことが可能である。
【００２４】
また本発明によれば、エラーレートが最小になった取得開始タイミングよりも少し早いタイミングを、以降のＶＢＩデータの取得開始タイミングとして決定する。これにより、実際のＶＢＩデータが開始されているタイミングよりも少しだけ早いタイミングでＶＢＩデータの取得を開始するため、より確実にＶＢＩデータの取得を行うことが可能である。
【発明を実施するための最良の形態】
【００２５】
以下に、本発明のＴＶ受信装置１０におけるＶＢＩデータ取得処理について、図面を参照しつつ説明する。なお、ここで示す実施形態は一例であり、本発明はここに示す実施形態に限定されるものではない。
【００２６】
〈１．ＴＶ受信装置の要部構成について〉
ここで、本発明のＴＶ受信装置１０の要部構成について、図面を参照しながら詳述する。図２は当該装置の構成概略図である。図２に示すようにＴＶ受信装置１０は、アンテナ１、受信部２、検波回路３、ＶＢＩデータ抽出部４、スライスレベル調整部５、計時部６、記憶部７、制御部８などから構成されている。
【００２７】
アンテナ１により受信されたＴＶ信号は、受信部２へと伝達される。受信部２は、所望の周波数の信号を選出するためのチューナ回路等を有しており、受信信号に所定の処理を加えて後段の回路に出力する（受信手段）。
【００２８】
検波回路３は、入力される信号から映像信号ならびに音声信号を抜き出して、後段の回路に出力する。そして後段の回路ではこれらの信号に基づいて、映像ならびに音声を出力する。
【００２９】
ＶＢＩデータ抽出部４は、入力される信号からＶＢＩ情報を抜き出して、後段の回路に出力するための回路である（抽出手段）。具体的には、入力信号に含まれるＶＢＩ信号と、スライスレベル調整部５で決定されたスライスレベルを、所定のサンプリングパルスの示すタイミングに合わせて比較する。そして両者の大小関係に応じてＶＢＩ信号に係るデジタルデータを抽出する。なお後段の回路では、抽出されたＶＢＩデータに基づいてＶＢＩ情報をユーザへ提供する。またＶＢＩデータ抽出部４は、抽出したデジタルデータのエラーレート（データ取得失敗率）を検出する機能を備える（失敗率算出手段）。検出されたエラーレートは、後段の制御部８に通知される。
【００３０】
スライスレベル調整部５は、ＶＢＩデータ抽出部４で用いられるスライスレベルを適切なレベルに調整するための回路である。スライスレベル調整部５は、ゴースト等のノイズによって受信信号に歪みが生じてもＶＢＩデータの抜き取りが正しく行われるようにスライスレベルを適宜調整する。
【００３１】
計時部６は、例えば水晶発振器や分周回路を用いることにより、現在の時刻を継続的に計時する。現在時刻の情報は、一連のＶＢＩ信号の取得開始タイミングの調整を行うために用いられる。また現在時刻の情報は、表示手段を通じてユーザに時刻を報知するために用いても良い。
【００３２】
記憶部７は、放送局から送信されてきたＶＢＩデータや、ＶＢＩデータの取得処理等に用いられる各種情報（後述する処理フローで用いられるタイミング情報等）などを記憶する記憶媒体である。
【００３３】
制御部８は、ＴＶ受信装置１０の各部材の駆動を有機的に制御することにより映像受信処理、或いはＶＢＩデータ取得処理を統括制御するための中央処理装置である。また制御部８は、各装置（例えば記憶部７等）の制御やデータの計算、加工処理等を行なう中枢部分となっている。
【００３４】
〈２．ＶＢＩデータの取得方法について〉
ここで、本発明のＴＶ受信装置１０におけるＶＢＩデータの取得方法について、図１のフローチャート、図２のブロック図、および図３の説明図を用いて説明する。なお図３は図４を模式化した説明図であり、同名の符号（地点Ａ〜地点Ｃ）は図４と同一の内容を示している。図３において、範囲αはＶＢＩ信号が存在する可能性のある範囲を示している。また範囲βはＶＢＩ信号が存在しない範囲を示している（カラーバースト信号９２等が存在するため）。また範囲γはＶＢＩ信号の開始点が存在する可能性のある範囲を示している。
【００３５】
図１は、本発明のＶＢＩデータ取得処理の処理フローを示したフローチャートである。図１に示す本処理は、制御部８がアンテナ１及び受信部２を用いてＶＢＩ信号を含むデータ放送を受信することにより開始される。データ放送を受信した制御部８は、ＶＢＩ信号の取得開始タイミングを示すパラメータを設定する。このパラメータは、水平同期信号の立下りから取得開始タイミングまでの時間差を表した数値である。パラメータには初期値として規格値（９．７μ秒、図３の地点Ｃ）が設定される（ステップＳ１１０）。従ってステップＳ１１０は、パラメータの設定及び初期化を行うパラメータ設定部および初期値設定部を構成する。
【００３６】
次に制御部８は、パラメータの下限値としてカラーバースト信号９２の終端（８．０μ秒、図３の地点Ｂ）を設定する（ステップＳ１２０）。従ってステップＳ１２０は、パラメータの下限値を８．０μ秒に設置する下限値設定部を構成する。
【００３７】
そして制御部８はＶＢＩデータ抽出部４と前記パラメータが示すＶＢＩ信号取得開始タイミングとを用いて、ＴＶ信号よりＶＢＩ信号の抜き出しを行う。抜き去れたＶＢＩ信号はＶＢＩデータに変換される。この際、ＶＢＩデータ抽出部４はデータ変換時のデータ取得失敗率（エラーレート）の算出を行い、制御部８に通知する（ステップ１３０）。
【００３８】
エラーレートの通知を受けた制御部は、それを記憶部７に記憶する（ステップＳ１４０）。そしてパラメータをあらかじめ定められた一定値（例えば０．１μ秒）だけ減算する（ステップＳ１５０）。
【００３９】
次に制御部８は、パラメータの値がステップＳ１２０で設定した下限値（この例では８．０μ秒）を下回るかどうかの確認を行う（ステップＳ１６０）。下回らない（取得開始タイミングが図３の範囲γの範囲内である）場合、ステップ１３０に移行する。このようにステップＳ１３０からステップＳ１６０の処理を繰り返し行うことにより、取得開始タイミングを段階的にシフトさせる（図３の矢印Ｓ）。そしてシフトを行いながら、各タイミングにおけるエラーレートの算出および記憶を行う。従ってステップＳ１３０〜ステップＳ１６０は、パラメータを段階的に変化させながらエラーレートの算出を行う段階実行部を構成する。
【００４０】
ステップＳ１６０においてパラメータの値が下限値を下回った場合、制御部８は上記一連のエラーレート取得処理を完了する。そして記憶部７に記憶された各取得開始タイミング毎のエラーレートを確認する。そして取得開始タイミングの変化に伴うエラーレートの変化があるかどうかの判断を行う（ステップＳ１７０）。
【００４１】
エラーレートに変化があった場合、エラーレートが最小となった地点におけるパラメータの値を取得する（ステップＳ１８０、図３の地点Ｄ）。そしてパラメータより、あらかじめ定められた一定値（例えば０．０５μ秒）を減算する。その結果パラメータが示す地点を、取得開始タイミングに決定する（ステップＳ１９０、図３の地点Ｅ）。ただし減算した結果が下限値を下回る場合は下限値をパラメータに代入し、下限値が示す地点を取得開始タイミングに決定する（図３の地点Ｂ）。
【００４２】
逆にエラーレートに変化が無かった（どの取得開始タイミングにおいてもエラーレートが一定であった）場合、初期値（９．７μ秒）をパラメータに代入する。これにより、あらかじめ規格で定められている地点を取得開始タイミングに決定する（ステップＳ１９０ａ、図３の地点Ｃ）。従ってステップＳ１７０〜ステップＳ１９０ａは、ステップＳ１３０〜ステップＳ１６０からなる段階実行部により算出されたエラーレートをもとに、ＶＢＩ信号の取得開始点を決定する開始点決定部を構成する。
【００４３】
次に制御部８はステップ１９０、或いはステップ１９０ａにおいて得られたＶＢＩ信号の取得開始タイミングを記憶部７に記憶する（ステップＳ２００）。
【００４４】
そして記憶されたＶＢＩ信号取得開始タイミングをもとに、ＶＢＩデータの取得を実行する（Ｓ２１０）。なお通常、受信するデータ放送の放送局が変わらない限り、各ＴＶ信号におけるＶＢＩ信号の開始タイミングは同一である。このため一度ＶＢＩ信号の取得タイミングを決定した後は、放送局に変化が無い限りその値を継続して使用することが可能である。
【００４５】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００４６】
例えば、前述した実施形態の機能を実現するソフトウェアのプログラムコードを記録した記憶媒体を、ＴＶ装置受信装置以外のデータ放送受信機能を備えた映像処理装置に実装し、記憶媒体に格納されたプログラムコードを読出し実行することによっても、達成されることは言うまでもない。
【００４７】
この場合、記憶媒体から読出されたプログラムコード自体が、前述した実施形態の機能を実現することになり、そのプログラムコードを記憶した記憶媒体および記憶媒体を実装した通信端末は本発明を構成することになる。
【００４８】
なお、プログラムコードを供給するための記憶媒体としては、例えば、フロッピディスク、ハードディスク、光ディスク、光磁気ディスク、磁気テープ、不揮発性のメモリカードなどを用いることができる。
【００４９】
また、ＴＶ受信装置以外のデータ放送受信機能を備えた映像処理装置としては、例えばビデオレコーダ、ＨＤＤレコーダ、ＤＶＤレコーダ、受信チューナー、カーナビ、携帯電話などを用いることができる。
【００５０】
また、前述した実施形態において、受信したデータ放送をもとにＶＢＩ信号の取得開始タイミングを取得しているが、基本的に放送局が異なればＶＢＩ信号の開始点も異なる。このため実際には、放送局が異なる電波を検知するたびに、前述した取得開始タイミングの判定処理を行う必要がある。なお、ＶＢＩ信号の取得開始タイミングを放送局単位で記憶しておいてもよい。この場合、受信した電波から放送局を判別し、記憶されている取得開始タイミングの中から各放送局に対応する取得開始タイミングを用いてＶＢＩ信号の取得を行うようにしてもよい。
【００５１】
また、前述した実施形態において、図３の範囲γにおいてパラメータを変化させながらエラーレートの測定を行っているが、実際にはＶＢＩ信号の開始点は地点Ｃよりも遅いタイミング（地点Ｃの右方向）である場合も存在する。ただしこれに対しては、ステップＳ１９０ａにおいて地点ＣをＶＢＩデータ取得開始点の上限としているため、上記の場合においてもＶＢＩ信号の取得エラーを回避することが可能である。
【００５２】
また、前述した実施形態において、ステップＳ１９０においてパラメータより一定値を減算しているが、これは確実にＶＢＩ信号の取得を行うため取得開始タイミングに余裕を持たせるための処理である。従ってステップＳ１９０は必ずしも実行する必要はなく、要求される取得開始タイミングの精度によっては省略することも可能である。
【００５３】
また、前述した実施形態において、ステップＳ１５０及びステップＳ１９０における減算値はあくまで一例である。これ以外の値を用いて上記処理を行ったとしても、本発明と同様の効果が得られることは言うまでもない。
【図面の簡単な説明】
【００５４】
【図１】本発明のＶＢＩデータ取得装置の処理フローを示したフロー図である。
【図２】本発明のＶＢＩデータ取得装置の電気回路の要部構成を示したブロック図である。
【図３】本発明のＶＢＩデータ取得装置のエラーレート取得処理の内容を説明するための説明図である。
【図４】従来のＶＢＩにおけるＴＶ信号の構成を説明するための説明図である。
【符号の説明】
【００５５】
１    アンテナ（受信手段）
２    受信部（受信手段）
３    検波回路
４    ＶＢＩデータ抽出部（抽出手段）
５    スライスレベル調整部
６    計時部
７    記憶部
８    制御部
１０    ＴＶ受信装置
９１    水平同期信号
９２    カラーバースト信号
９３    ＶＢＩ信号
【図１】
2007324953.tif 000003
【図２】
2007324953.tif 000004
【図３】
2007324953.tif 000005
【図４】
2007324953.tif 000006